(57)【要約】【課題】戸と開口枠とのデザイン上の統一感を保持しつつ、美観を損なうことなく安価にリフォームする。【解決手段】壁１０の開口部から既設の開口枠を取り外すと、クロス１８の表面には、見切部を接着していた接着剤２８が汚れとして残される。そこで、既設の開口枠の見切部よりも幅の広い見切部３２を有する新たな開口枠３４を準備し、見切部３２によって接着剤２８を覆い隠すようにして、開口枠３４を開口部の内周縁に取り付ける。【選択図】    図４
2004176422.tif 000002
【特許請求の範囲】
【請求項１】
壁に設けられた開口部の内面を覆う本体部と、前記本体部の幅方向側端から延びて前記壁の表面を覆う見切部とを備える開口枠のリフォーム工法であって、
前記開口部に取り付けられた既設の見切部を取り外し、その後、前記既設の見切部よりも幅の広い新たな見切部を前記開口部に取り付けるようにした、開口枠のリフォーム工法。
【請求項２】
壁に設けられた開口部の内面を覆う本体部、および
前記本体部の幅方向側端から延びて前記壁の表面を覆う第１部分と、前記第１部分と一部が重なるようにして配置され、前記壁の表面を覆う第２部分とを有する見切部を備える、開口枠。
【発明の詳細な説明】
【０００１】
【発明の属する技術分野】
本発明は、建物における壁の開口部に設けられた開口枠のリフォーム工法および開口枠に関する。
【０００２】
【従来の技術】
建物における開口部１には、図９に示すように、ドア２を支持するための開口枠３が取り付けられている。この開口枠３は、図１０に示すように、壁４に設けられた開口部１の内面を覆う本体部３ａと、本体部３ａの幅方向側端から延びて壁４の表面を覆う見切部３ｂとによって構成されており、見切部３ｂが壁４の表面に貼り付けられたクロス５に接着されていた（特許文献１参照）。
【０００３】
そして、開口枠３に支持されたドア２を交換する際には、「開口枠３はそのまま残す工法」，「壁４とともに開口枠３を破壊して交換する工法」，「壁４を破壊せずに開口枠３を交換する工法」のいずれかが採用されていた。
【０００４】
しかし、「開口枠３はそのまま残す工法」では、ドア２と開口枠３とのデザイン上の統一感が損なわれるおそれがあり、「壁４とともに開口枠３を破壊して交換する工法」では、コスト高になるおそれがあり、「壁４を破壊せずに開口枠３を交換する工法」では、開口枠３を取り外すときにクロス５が傷付けられて美観が損なわれるおそれがあった。
【０００５】
【特許文献１】
特開平１０−１１０５７５号
【０００６】
【発明が解決しようとする課題】
それゆえに、この発明の主たる目的は、戸（ドアまたは引戸等）と開口枠とのデザイン上の統一感を保持しつつ、美観が損なわれることなく安価にリフォームすることのできる、開口枠のリフォーム工法および開口枠を提供することである。
【０００７】
【課題を解決するための手段】
請求項１に記載した発明は、「壁１０に設けられた開口部１２の内面を覆う本体部２０と、本体部２０の幅方向側端から延びて壁１０の表面を覆う見切部２２とを備える開口枠１６のリフォーム工法であって、開口部１２に取り付けられた既設の見切部２２を取り外し、その後、既設の見切部２２よりも幅の広い新たな見切部３２を開口部１２に取り付けるようにした、開口枠のリフォーム工法」である。
【０００８】
この発明では、既設の見切部２２を幅の広い新たな見切部３２に取り替えるようにしているので、壁１０の表面（クロス１８）に残された接着剤２８や壁１０の表面（クロス１８）に生じた傷３０を新たな見切部３２によって覆い隠すことができる。なお、見切部２２は、本体部２０とともに取り替えるようにしてもよいし、本体部２０を残して見切部２２だけを取り替えるようにしてもよい。
【０００９】
請求項２に記載した発明は、「壁１０に設けられた開口部１２の内面を覆う本体部３６、および本体部３６の幅方向側端から延びて壁１０の表面を覆う第１部分４６と、第１部分４６と一部が重なるようにして配置され、壁１０の表面を覆う第２部分４８とを有する見切部３２を備える、開口枠４４，５０，５２」である。
【００１０】
この発明では、第１部分４６と第２部分４８との重なり量を調整することによって、壁１０の表面（クロス１８）に生じた傷３０の大きさ等に応じて見切部３２の幅を最適に調整することができる。なお、見切部３２の第１部分４６は、本体部３６とは独立に形成されてもよいし、本体部３６と一体に形成されてもよい。
【００１１】
【発明の実施の形態】
図１を参照して、住宅等の建物における壁１０の開口部１２には、ドア１４を支持するための開口枠１６が設けられており、開口枠１６をリフォームするために、本発明の「開口枠のリフォーム工法」が用いられる。
【００１２】
壁１０は、図２に示すように、第１壁板１０ａと第２壁板１０ｂとが複数の柱１０ｃによって支持された構造を有し、壁１０の表面には、クロス１８が貼り付けられる。そして、壁１０における柱１０ｃ間に開口部１２が設けられ、開口部１２の内周縁に開口枠１６が取り付けられる。
【００１３】
開口枠１６は、図３に示すように、開口部１２の内面を覆う本体部２０と、本体部２０の幅方向両側端から延びて壁１０の表面を覆う２つの見切部２２と、戸当たり部２４とによって構成される。
【００１４】
本体部２０は、挽材，合板，木質繊維板（ＩＢ，ＭＤＦ等），木削片板（パーティクルボード，ストランドボード，ＯＳＢ等），集成材などの木質材料、プラスチック材料もしくは金属材料、または、これらの複合材料によって長尺板状に形成される。そして、本体部２０の幅方向両端面には、長手方向へ延びる溝２０ａが形成され、本体部２０の表面中央部には、長手方向へ延びる溝２０ｂが形成される。また、溝２０ｂの底面には、固定ネジ２６が挿通される孔２０ｃが形成される。
【００１５】
各見切部２２は、挽材，合板，木質繊維板（ＩＢ，ＭＤＦ等），木削片板（パーティクルボード，ストランドボード，ＯＳＢ等），集成材などの木質材料、プラスチック材料もしくは金属材料、または、これらの複合材料によって形成される長尺板状部材であり、見切部本体２２ａと接続片２２ｂと当接片２２ｃとによって断面略コ字状に構成される。
【００１６】
見切部本体２２ａは、壁１０の表面を覆う部分であり、接続片２２ｂは、本体部２０に形成された溝２０ａに挿入される部分であり、当接片２２ｃは、壁１０の表面（すなわちクロス１８）に当接される部分である。
【００１７】
戸当たり部２４は、開口部１２に取り付けられたドア１４の行き過ぎを防止するとともに、本体部２０とドア１４との隙間を目隠しするための長尺部材であり、本体部２０に形成された溝２０ｂに嵌合される嵌合部２４ａと、ドア１４が当接されるストッパー部２４ｂとによって構成される。
【００１８】
このような開口枠１６を開口部１２の内周縁に取り付ける際には、まず、開口部１２の内面に本体部２０を配置する。続いて、本体部２０の孔２０ｃに固定ネジ２６を挿通し、この固定ネジ２６によって本体部２０を柱１０ｃに固定する。そして、戸当たり部２４（嵌合部２４ａ）を本体部２０の溝２０ｂに嵌め込んで接着する。また、見切部２２の接続片２２ｂを本体部２０の溝２０ａに挿入して固定するとともに、当接片２２ｃを壁１０の表面（クロス１８）に当接して接着剤や固定金具で固定する。
【００１９】
「開口枠のリフォーム工法」では、まず、図３に示すように、壁１０の開口部１２から既設の開口枠１６を取り外す。すると、壁１０の表面（クロス１８）には、見切部２２を接着していた接着剤２８が汚れとして残され、また、見切部２２を引き剥がす力によって壁１０の表面（クロス１８）に傷３０が生じる。
【００２０】
そこで、図４に示すように、既設の開口枠１６の見切部２２よりも幅の広い見切部３２を有する新たな開口枠３４を準備し、見切部３２によって接着剤２８および傷３０を覆い隠すようにして、開口枠３４を開口部１２の内周縁に取り付ける。
【００２１】
この実施例によれば、既設の開口枠１６を新たな開口枠３４に交換するようにしているので、リフォームされたドア１４と開口枠３４とのデザイン上の統一感を保持することができる。また、開口枠１６を取り外す際に壁１０を破壊しないので、リフォーム工事のコストを低く抑えることができる。さらに、壁１０の表面（クロス１８）に残された接着剤２８や傷３０を覆い隠すことができるので、美観が損なわれるのを防止できる。
【００２２】
なお、上述の実施例では、既設の開口枠１６における見切部２２を本体部２０とともに取り替えるようにしているが、本体部２０を残して見切部２２だけを新たな見切部３２（図４）に取り替えるようにしてもよい。
【００２３】
また、上述の実施例では、開口枠１６および３４によってドア１４を支持するようにしているが、引戸等のような他の種類の戸を支持するようにしてもよい。ただし、引戸を支持する場合には、開口部１２の上部内面に取り付けられる本体部２０に対して引戸を摺動させるための溝を設ける必要がある。
【００２４】
さらに、上述の実施例では、新たな開口枠３４（図４）が、本体部３６，見切部３２および戸当たり部３８によって構成されるが、これらの構成部分の具体的構造は図５〜図８に示すように適宜変更されてもよい。
【００２５】
図５に示す開口枠４０は、見切部３２の表面に長手方向へ延びる略半円形の溝４２を形成したものである。この開口枠４０によれば、溝４２内にタッカー，ネジまたはクギ等のような固定金具を打つことによって固定箇所を目立たなくすることができ、また、溝４２に充填剤を充填することによって固定金具を完全に隠すことができる。さらに、溝４２によって装飾的効果を得ることもできる。なお、溝４２の形状，幅および本数等は適宜変更されてもよく、たとえば、略四角形や略三角形等に形成されてもよい。
【００２６】
図６に示す開口枠４４は、見切部３２を第１部分４６と第２部分４８とに分割したものである。第１部分４６は、見切部本体４６ａと接続片４６ｂとを有する略Ｌ字状に形成され、第２部分４８は、長尺板状に形成される。そして、第２部分４８の一部が第１部分４６（見切部本体４６ａ）に重ね合わされた状態で、第２部分４８の外面が第１部分４６（見切部本体４６ａ）の内面に接着剤や固定金具で固定されるとともに、第２部分４８の内面が壁１２の表面（クロス１８）に接着剤や固定金具で固定される。
【００２７】
図７に示す開口枠５０は、見切部３２を第１部分４６と第２部分４８とに分割した構成（図６）において、一方の見切部３２の第１部分４６を本体部３６と一体に形成し、他方の見切部３２の第１部分４６を本体部３６とは独立に形成したものである。
【００２８】
図８に示した開口枠５２は、見切部３２を第１部分４６と第２部分４８とに分割した構成（図６）において、双方の見切部３２の第１部分４６を本体部３６と一体に形成するとともに、本体部３６を２分割したものである。
【００２９】
図６〜図８に示した開口枠４４，５０および５２によれば、第１部分４６（見切部本体４６ａ）と第２部分４８との重なり量を調整することによって、接着剤２８の付着状態や傷３０の大きさ・位置等に応じて見切部３２の幅を最適に調整することができる。
【００３０】
【発明の効果】
請求項１に記載した発明によれば、既設の見切部を幅の広い新たな見切部に取り替えるようにしているので、壁の表面に残された接着剤や壁の表面に生じた傷を新たな見切部によって隠すことができる。また、見切部を取り替える際には壁を壊す必要がないので、工事のコストを低く抑えることができる。さらに、開口枠と戸（ドアまたは引戸等）とのデザイン上の統一感を保持できる。
【００３１】
請求項２に記載した発明によれば、第１部分と第２部分との重なり量を調整することによって、壁の表面に生じた傷の大きさ等に応じて見切部の幅を最適に調整することができる。
【図面の簡単な説明】
【図１】開口部および開口枠を示す図である。
【図２】既設の開口枠を示す斜視図である。
【図３】既設の開口枠を取り外した状態を示す斜視図である。
【図４】新たな開口枠を示す斜視図である。
【図５】見切部の変形例（溝付き）を示す斜視図である。
【図６】見切部を２分割した例を示す断面図である。
【図７】見切部を２分割し、一方の見切部を本体部と一体に形成した例を示す図である。
【図８】見切部を２分割し、双方の見切部を本体部と一体に形成した例を示す図である。
【図９】従来の開口部および開口枠を示す図である。
【図１０】従来の開口枠を示す断面図である。
【符号の説明】
１０…  壁
１２…  開口部
１４…  ドア
１６，３４，４０，４４，５０，５２…  開口枠
１８…  クロス
２０，３６…  本体部
２２，３２…  見切部
２２ａ…  見切部本体
２２ｂ…  接続片
２２ｃ…  当接片
２８…  接着剤
３０…  傷
４６…  第１部分
４８…  第２部分
【図１】
2004176422.tif 000003
【図２】
2004176422.tif 000004
【図３】
2004176422.tif 000005
【図４】
2004176422.tif 000006
【図５】
2004176422.tif 000007
【図６】
2004176422.tif 000008
【図７】
2004176422.tif 000009
【図８】
2004176422.tif 000010
【図９】
2004176422.tif 000011
【図１０】
2004176422.tif 000012